(57)【要約】【課題】ＦＤＤ方式の無線基地局ｅＮＢ配下のセルにおいて待ち受け状態になる移動局ＵＥが、同一の位置登録エリア内のＴＤＤ方式の無線基地局ｅＮＢ配下のセルへのセル再選択処理を適切に行う。【解決手段】本発明に係る移動通信方法は、ＦＤＤ方式の無線基地局ｅＮＢ＃１配下のセルにおいて待ち受け状態にある移動局ＵＥが、ＴＤＤ方式の無線基地局ｅＮＢ＃２配下のセルへのセル再選択処理を行った場合、「Ｄｅｔａｃｈ  Ｒｅｑｕｅｓｔ（Ｔｙｐｅ/Ｃａｕｓｅ：ＵＥ  Ｃａｐａｂｉｌｉｔｙ  Ｕｐｄａｔｅ）」を送信する工程と、移動管理ノードＭＭＥが、移動局ＵＥに対して、「Ｄｅｔａｃｈ  Ａｃｃｅｐｔ（Ｔｙｐｅ/Ｃａｕｓｅ：Ｒｅ-ａｔｔａｃｈ  ｒｅｑｕｉｒｅｄ）」を送信する工程とを有する。【選択図】図５
2013102292.tif 000002
【特許請求の範囲】
【請求項１】
ＦＤＤ方式の無線基地局配下のセルにおいて待ち受け状態にある移動局が、ＴＤＤ方式の無線基地局配下のセルへのセル再選択処理を行った場合、移動管理ノードに対して、該移動局の能力情報を更新する旨を示すデタッチ要求信号を送信する工程と、
前記移動管理ノードが、前記デタッチ要求信号に応じて、前記移動局に対して、再アタッチ処理を促すデタッチ受付信号を送信する工程と、
前記移動局が、前記デタッチ受付信号に応じて、前記移動管理ノードに対して、アタッチ要求信号を送信する工程と、
前記移動管理ノードが、ＦＤＤ方式用の前記移動局の能力情報を削除し、前記ＴＤＤ方式の無線基地局に対して、該移動局の能力情報を通知しない初期コンテキスト設定要求信号を送信する工程と、
前記ＴＤＤ方式の無線基地局が、前記初期コンテキスト設定要求信号に応じて、前記移動局から、該移動局によってサポートされている必須機能について示すＴＤＤ方式用の機能グループ指示情報を含むＴＤＤ方式用の該移動局の能力情報を取得する工程と、
前記ＴＤＤ方式の無線基地局が、前記移動管理ノードに対して、取得した前記ＴＤＤ方式用の前記移動局の能力情報を通知する工程とを有することを特徴とする移動通信方法。
【請求項２】
ＴＤＤ方式の無線基地局配下のセルにおいて待ち受け状態にある移動局が、ＦＤＤ方式の無線基地局配下のセルへのセル再選択処理を行った場合、移動管理ノードに対して、該移動局の能力情報を更新する旨を示すデタッチ要求信号を送信する工程と、
前記移動管理ノードが、前記デタッチ要求信号に応じて、前記移動局に対して、再アタッチ処理を促すデタッチ受付信号を送信する工程と、
前記移動局が、前記デタッチ受付信号に応じて、前記移動管理ノードに対して、アタッチ要求信号を送信する工程と、
前記移動管理ノードが、ＴＤＤ方式用の前記移動局の能力情報を削除し、前記ＦＤＤ方式の無線基地局に対して、該移動局の能力情報を通知しない初期コンテキスト設定要求信号を送信する工程と、
前記ＦＤＤ方式の無線基地局が、前記初期コンテキスト設定要求信号に応じて、前記移動局から、該移動局によってサポートされている必須機能について示すＦＤＤ方式用の機能グループ指示情報を含むＦＤＤ方式用の該移動局の能力情報を取得する工程と、
前記ＦＤＤ方式の無線基地局が、前記移動管理ノードに対して、取得した前記ＦＤＤ方式用の前記移動局の能力情報を通知する工程とを有することを特徴とする移動通信方法。
【請求項３】
ＦＤＤ方式の無線基地局配下のセルにおいて待ち受け状態にある移動局が、ＴＤＤ方式の無線基地局配下のセルへのセル再選択処理を行った場合、移動管理ノードに対して、該移動局の能力情報を更新する旨を示す位置登録エリア更新要求信号を送信する工程と、
前記移動管理ノードが、前記位置登録エリア更新信号に応じて、ＦＤＤ方式用の前記移動局の能力情報を削除し、前記移動局に対して、位置登録エリア更新受付信号を送信する工程と、
前記移動局が、前記位置登録エリア更新受付信号に応じて、前記ＴＤＤ方式の無線基地局配下のセルにおいて接続状態に遷移し、前記移動管理ノードに対して、サービス要求信号を送信する工程と、
前記移動管理ノードが、前記サービス要求信号に応じて、前記ＴＤＤ方式の無線基地局に対して、前記移動局の能力情報を通知しない初期コンテキスト設定要求信号を送信する工程と、
前記ＴＤＤ方式の無線基地局が、前記初期コンテキスト設定要求信号に応じて、前記移動局から、該移動局によってサポートされている必須機能について示すＴＤＤ方式用の機能グループ指示情報を含むＴＤＤ方式用の該移動局の能力情報を取得する工程と、
前記ＴＤＤ方式の無線基地局が、前記移動管理ノードに対して、取得した前記ＴＤＤ方式用の前記移動局の能力情報を通知する工程とを有することを特徴とする移動通信方法。
【請求項４】
ＴＤＤ方式の無線基地局配下のセルにおいて待ち受け状態にある移動局が、ＦＤＤ方式の無線基地局配下のセルへのセル再選択処理を行った場合、移動管理ノードに対して、該移動局の能力情報を更新する旨を示す位置登録エリア更新要求信号を送信する工程と、
前記移動管理ノードが、前記位置登録エリア更新信号に応じて、ＴＤＤ方式用の前記移動局の能力情報を削除し、前記移動局に対して、位置登録エリア更新受付信号を送信する工程と、
前記移動局が、前記位置登録エリア更新受付信号に応じて、前記ＦＤＤ方式の無線基地局配下のセルにおいて接続状態に遷移し、前記移動管理ノードに対して、サービス要求信号を送信する工程と、
前記移動管理ノードが、前記サービス要求信号に応じて、前記ＦＤＤ方式の無線基地局に対して、前記移動局の能力情報を通知しない初期コンテキスト設定要求信号を送信する工程と、
前記ＦＤＤ方式の無線基地局が、前記初期コンテキスト設定要求信号に応じて、前記移動局から、該移動局によってサポートされている必須機能について示すＦＤＤ方式用の機能グループ指示情報を含むＦＤＤ方式用の該移動局の能力情報を取得する工程と、
前記ＦＤＤ方式の無線基地局が、前記移動管理ノードに対して、取得した前記ＦＤＤ方式用の前記移動局の能力情報を通知する工程とを有することを特徴とする移動通信方法。
【発明の詳細な説明】
【技術分野】
【０００１】
本発明は、移動通信方法に関する。
【背景技術】
【０００２】
ＬＴＥ（Ｌｏｎｇ  Ｔｅｒｍ  Ｅｖｏｌｕｔｉｏｎ）方式では、あるリリース（Ｒｅｌｅａｓｅ）に含まれる必須（Ｍａｎｄａｔｏｒｙ）機能は、非常に多く存在するため、あるリリースに対応している移動局ＵＥであっても、一概に全ての必須機能をサポートしているというわけではない。
【０００３】
したがって、ＬＴＥ方式では、あるリリース（例えば、Ｒｅｌｅａｓｅ-８やＲｅｌｅａｓｅ-１０等）において移動局ＵＥによってサポートされている必須機能について示す「ＦＧＩビットセット（Ｆｅａｔｕｒｅ  Ｇｒｏｕｐ  Ｉｎｄｉｃａｔｏｒｓ、機能グループ指示情報）」が規定されている（非特許文献１参照）。
【０００４】
具体的には、ＦＧＩビットセットは、あるリリースにおける必須機能のグループ毎に移動局ＵＥが対応するか否かについて示すＦＧＩビットの集合である。
【０００５】
また、ＦＩＧビットセットは、「ＵＥ  Ｃａｐａｂｉｌｉｔｙ  Ｉｎｆｏｒｍａｔｉｏｎ」によって、移動局ＵＥから無線アクセスネットワークに対して通知されるように構成されている。
【０００６】
現在、ＬＴＥ方式の仕様策定会議において、ＦＤＤ（Ｆｒｅｑｕｅｎｃｙ  Ｄｉｖｉｓｉｏｎ  Ｄｕｐｌｅｘ）方式におけるＦＧＩビットセット及びＴＤＤ（Ｔｉｍｅ  Ｄｉｖｉｓｉｏｎ  Ｄｕｐｌｅｘ）方式におけるＦＧＩビットセットを区別することなく、共通のシグナリング（例えば、ＲＲＣシグナリング）で制御することが検討されている。
【０００７】
また、ＬＴＥ方式の仕様策定会議において、移動局ＵＥが、接続する無線アクセスネットワークがＦＤＤ方式又はＴＤＤ方式のどちらであるかを判断して、報告するＦＩＧビットセットを変更することが検討されている。
【先行技術文献】
【非特許文献】
【０００８】
【非特許文献１】３ＧＰＰ  ＴＳ３６.３３１  Ａｎｎｅｘ  Ｂ.１/Ｃ.１
【非特許文献２】３ＧＰＰ  ＴＳ２３.４０１
【発明の概要】
【発明が解決しようとする課題】
【０００９】
現在のＬＴＥ方式の仕様では、移動局ＵＥは、「ＵＥ  Ｃａｐａｂｉｌｉｔｙ（ＦＧＩビットセットを含む）」の内容を変更する場合には、デタッチ（Ｄｅｔａｃｈ）処理を行う必要がある。
【００１０】
したがって、ＦＤＤ方式及びＴＤＤ方式の両方に対応している移動通信システムでは、ＦＤＤ方式（又は、ＴＤＤ方式）の無線基地局ｅＮＢ配下のセルにおいて待ち受け状態になる移動局ＵＥが、同一の位置登録エリア内のＴＤＤ方式（又は、ＦＤＤ方式）の無線基地局ｅＮＢ配下のセルへのセル再選択処理（Ｃｅｌｌ  Ｒｅｓｅｌｅｃｔｉｏｎ）を行った場合には、「ＵＥ  Ｃａｐａｂｉｌｉｔｙ」の内容（すなわち、ＦＧＩビットセットの内容）を変更することになるため、その都度、デタッチ処理を行う必要がある。
【００１１】
しかしながら、現在のＬＴＥ方式の仕様では、かかる場合に、デタッチ処理を行った後、どのような手順で、アタッチ処理を行うべきかについて規定されていないという問題点があった。
【００１２】
そこで、本発明は、上述の課題に鑑みてなされたものであり、ＦＤＤ方式（又は、ＴＤＤ方式）の無線基地局ｅＮＢ配下のセルにおいて待ち受け状態になる移動局ＵＥが、同一の位置登録エリア内のＴＤＤ方式（又は、ＦＤＤ方式）の無線基地局ｅＮＢ配下のセルへのセル再選択処理を適切に行うことができる移動通信方法を提供することを目的とする。
【課題を解決するための手段】
【００１３】
本発明の第１の特徴は、移動通信方法であって、ＦＤＤ方式の無線基地局配下のセルにおいて待ち受け状態にある移動局が、ＴＤＤ方式の無線基地局配下のセルへのセル再選択処理を行った場合、移動管理ノードに対して、該移動局の能力情報を更新する旨を示すデタッチ要求信号を送信する工程と、前記移動管理ノードが、前記デタッチ要求信号に応じて、前記移動局に対して、再アタッチ処理を促すデタッチ受付信号を送信する工程と、前記移動局が、前記デタッチ受付信号に応じて、前記移動管理ノードに対して、アタッチ要求信号を送信する工程と、前記移動管理ノードが、ＦＤＤ方式用の前記移動局の能力情報を削除し、前記ＴＤＤ方式の無線基地局に対して、該移動局の能力情報を通知しない初期コンテキスト設定要求信号を送信する工程と、前記ＴＤＤ方式の無線基地局が、前記初期コンテキスト設定要求信号に応じて、前記移動局から、該移動局によってサポートされている必須機能について示すＴＤＤ方式用の機能グループ指示情報を含むＴＤＤ方式用の該移動局の能力情報を取得する工程と、前記ＴＤＤ方式の無線基地局が、前記移動管理ノードに対して、取得した前記ＴＤＤ方式用の前記移動局の能力情報を通知する工程とを有することを要旨とする。
【００１４】
本発明の第２の特徴は、移動通信方法であって、ＴＤＤ方式の無線基地局配下のセルにおいて待ち受け状態にある移動局が、ＦＤＤ方式の無線基地局配下のセルへのセル再選択処理を行った場合、移動管理ノードに対して、該移動局の能力情報を更新する旨を示すデタッチ要求信号を送信する工程と、前記移動管理ノードが、前記デタッチ要求信号に応じて、前記移動局に対して、再アタッチ処理を促すデタッチ受付信号を送信する工程と、前記移動局が、前記デタッチ受付信号に応じて、前記移動管理ノードに対して、アタッチ要求信号を送信する工程と、前記移動管理ノードが、ＴＤＤ方式用の前記移動局の能力情報を削除し、前記ＦＤＤ方式の無線基地局に対して、該移動局の能力情報を通知しない初期コンテキスト設定要求信号を送信する工程と、前記ＦＤＤ方式の無線基地局が、前記初期コンテキスト設定要求信号に応じて、前記移動局から、該移動局によってサポートされている必須機能について示すＦＤＤ方式用の機能グループ指示情報を含むＦＤＤ方式用の該移動局の能力情報を取得する工程と、前記ＦＤＤ方式の無線基地局が、前記移動管理ノードに対して、取得した前記ＦＤＤ方式用の前記移動局の能力情報を通知する工程とを有することを要旨とする。
【００１５】
本発明の第３の特徴は、移動通信方法であって、ＦＤＤ方式の無線基地局配下のセルにおいて待ち受け状態にある移動局が、ＴＤＤ方式の無線基地局配下のセルへのセル再選択処理を行った場合、移動管理ノードに対して、該移動局の能力情報を更新する旨を示す位置登録エリア更新要求信号を送信する工程と、前記移動管理ノードが、前記位置登録エリア更新信号に応じて、ＦＤＤ方式用の前記移動局の能力情報を削除し、前記移動局に対して、位置登録エリア更新受付信号を送信する工程と、前記移動局が、前記位置登録エリア更新受付信号に応じて、前記ＴＤＤ方式の無線基地局配下のセルにおいて接続状態に遷移し、前記移動管理ノードに対して、サービス要求信号を送信する工程と、前記移動管理ノードが、前記サービス要求信号に応じて、前記ＴＤＤ方式の無線基地局に対して、前記移動局の能力情報を通知しない初期コンテキスト設定要求信号を送信する工程と、前記ＴＤＤ方式の無線基地局が、前記初期コンテキスト設定要求信号に応じて、前記移動局から、該移動局によってサポートされている必須機能について示すＴＤＤ方式用の機能グループ指示情報を含むＴＤＤ方式用の該移動局の能力情報を取得する工程と、前記ＴＤＤ方式の無線基地局が、前記移動管理ノードに対して、取得した前記ＴＤＤ方式用の前記移動局の能力情報を通知する工程とを有することを要旨とする。
【００１６】
本発明の第４の特徴は、移動通信方法であって、ＴＤＤ方式の無線基地局配下のセルにおいて待ち受け状態にある移動局が、ＦＤＤ方式の無線基地局配下のセルへのセル再選択処理を行った場合、移動管理ノードに対して、該移動局の能力情報を更新する旨を示す位置登録エリア更新要求信号を送信する工程と、前記移動管理ノードが、前記位置登録エリア更新信号に応じて、ＴＤＤ方式用の前記移動局の能力情報を削除し、前記移動局に対して、位置登録エリア更新受付信号を送信する工程と、前記移動局が、前記位置登録エリア更新受付信号に応じて、前記ＦＤＤ方式の無線基地局配下のセルにおいて接続状態に遷移し、前記移動管理ノードに対して、サービス要求信号を送信する工程と、前記移動管理ノードが、前記サービス要求信号に応じて、前記ＦＤＤ方式の無線基地局に対して、前記移動局の能力情報を通知しない初期コンテキスト設定要求信号を送信する工程と、前記ＦＤＤ方式の無線基地局が、前記初期コンテキスト設定要求信号に応じて、前記移動局から、該移動局によってサポートされている必須機能について示すＦＤＤ方式用の機能グループ指示情報を含むＦＤＤ方式用の該移動局の能力情報を取得する工程と、前記ＦＤＤ方式の無線基地局が、前記移動管理ノードに対して、取得した前記ＦＤＤ方式用の前記移動局の能力情報を通知する工程とを有することを要旨とする。
【発明の効果】
【００１７】
以上説明したように、本発明によれば、ＦＤＤ方式（又は、ＴＤＤ方式）の無線基地局ｅＮＢ配下のセルにおいて待ち受け状態になる移動局ＵＥが、同一の位置登録エリア内のＴＤＤ方式（又は、ＦＤＤ方式）の無線基地局ｅＮＢ配下のセルへのセル再選択処理を適切に行うことができる移動通信方法を提供することができる。
【図面の簡単な説明】
【００１８】
【図１】本発明の第１の実施形態に係る移動通信システムの全体構成図である。
【図２】本発明の第１の実施形態に係る移動通信システムで用いられるＦＧＩビットセットの一例を示す図である。
【図３】本発明の第１の実施形態に係る移動局の機能ブロック図である。
【図４】本発明の第１の実施形態に係る移動管理ノードの機能ブロック図である。
【図５】本発明の第１の実施形態に係る移動通信システムの動作を説明するシーケンス図である。
【図６】本発明の第１の実施形態に係る移動通信システムの動作を説明するシーケンス図である。
【図７】本発明の変更例１に係る移動通信システムの動作を説明するシーケンス図である。
【図８】本発明の変更例１に係る移動通信システムの動作を説明するシーケンス図である。
【発明を実施するための形態】
【００１９】
（本発明の第１の実施形態に係る移動通信システム）
図１乃至図６を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００２０】
図１に示すように、本実施形態に係る移動通信システムは、移動管理ノードＭＭＥ（Ｍｏｂｉｌｉｔｙ  Ｍａｎａｇｅｍｅｎｔ  Ｅｎｔｉｔｙ）と、ＦＤＤ方式の無線基地局ｅＮＢ＃１と、ＴＤＤ方式の無線基地局ｅＮＢ＃２とを具備している。
【００２１】
図２に示すように、本実施形態に係る移動通信システムでは、ＦＤＤ方式用のＦＧＩビットセットの構成及びＴＤＤ方式用のＦＧＩビットセットの構成として、同一の構成が用いられるものとする。
【００２２】
例えば、図２に示すように、ＦＤＤ方式用のＦＧＩビットセット内に、Ｒｅｌｅａｓｅ-８における必須機能のグループ毎に移動局ＵＥが対応するか否かについて示すＦＧＩビット「１」〜「３２」が規定されており、Ｒｅｌｅａｓｅ-１０における必須機能のグループ毎に移動局ＵＥが対応するか否かについて示すＦＧＩビット「１０１」〜「１３２」が規定されている。
【００２３】
同様に、図２に示すように、ＴＤＤ方式用のＦＧＩビットセット内に、ＴＤＤ方式用のＦＧＩビットセットＲｅｌｅａｓｅ-８における必須機能のグループ毎に移動局ＵＥが対応するか否かについて示すＦＧＩビット「１」〜「３２」が規定されており、Ｒｅｌｅａｓｅ-１０における必須機能のグループ毎に移動局ＵＥが対応するか否かについて示すＦＧＩビット「１０１」〜「１３２」が規定されている。
【００２４】
ここで、両ＦＧＩビットセットに含まれるＦＧＩビット「１」〜「３２」及び「１０１」〜「１３２」が対応する必須機能のグループは同一であるものとする。
【００２５】
なお、移動局ＵＥは、ＦＤＤ方式用のＦＧＩビットセットに含まれるＦＧＩビットの設定及びＴＤＤ方式用のＦＧＩビットセットに含まれるＦＧＩビットの設定を区別して設定することができるように構成されている。
【００２６】
図３に示すように、移動局ＵＥは、判定部１１と、送信部１２と、受信部１３とを具備している。
【００２７】
判定部１１は、セル再選択処理を行うように構成されている。なお、判定部１１は、セル再選択処理を行った場合に、かかる再選択処理が、ＦＤＤ方式のセルからＴＤＤ方式のセルへの再選択処理であるか、或いは、ＴＤＤ方式のセルからＦＤＤ方式のセルへの再選択処理であるかについて判定するように構成されている。
【００２８】
ここで、判定部１１は、各セルにおける同期チャネルの構造に基づいて、各セルが、ＴＤＤ方式のセルであるか或いはＦＤＤ方式のセルであるかについて判定するように構成されていてもよい。
【００２９】
或いは、判定部１１は、各セルにおいて報知されているＳＩＢ１（Ｓｙｓｔｅｍ  Ｉｎｆｏｒｍａｔｉｏｎ  Ｂｌｏｃｋ  １）内の「ＴＤＤ  Ｃｏｎｆｉｇ」の有無や「ＦｒｅｑＢａｎｄＩｎｄｉｃａｔｏｒ」の設定等に基づいて、各セルが、ＴＤＤ方式のセルであるか或いはＦＤＤ方式のセルであるかについて判定するように構成されていてもよい。
【００３０】
なお、判定部１１は、ＦＤＤ方式のセルからＴＤＤ方式のセルへの再選択処理或いはＴＤＤ方式のセルからＦＤＤ方式のセルへの再選択処理を行った場合には、送信部１２に対して、その旨を通知するように構成されている。
【００３１】
送信部１２は、無線基地局ｅＮＢ＃１/ｅＮＢ＃２や移動管理ノードＭＭＥに対して各種信号を送信するように構成されている。
【００３２】
例えば、送信部１２は、移動管理ノードＭＭＥに対して、「Ａｔｔａｃｈ  Ｒｅｑｕｅｓｔ」や「Ｄｅｔａｃｈ  Ｒｅｑｕｅｓｔ」や「ＴＡＵ（Ｔｒａｃｋｉｎｇ  Ａｒｅａ  Ｕｐｄａｔｅ）」等を送信するように構成されている。
【００３３】
また、送信部１２は、無線基地局ｅＮＢ＃１/＃２に対して、「ＵＥ  Ｃａｐａｂｉｌｉｔｙ  Ｉｎｆｏｒｍａｔｉｏｎ」等を送信するように構成されている。
【００３４】
なお、送信部１２は、判定部１１から、ＦＤＤ方式のセルからＴＤＤ方式のセルへの再選択処理或いはＴＤＤ方式のセルからＦＤＤ方式のセルへの再選択処理が行った旨が通知された場合、「Ｄｅｔａｃｈ  Ｒｅｑｕｅｓｔ（Ｔｙｐｅ/Ｃａｕｓｅ：ＵＥ  Ｃａｐａｂｉｌｉｔｙ  Ｕｐｄａｔｅ）」を送信するように構成されている。
【００３５】
ここで、「Ｄｅｔａｃｈ  Ｒｅｑｕｅｓｔ（Ｔｙｐｅ/Ｃａｕｓｅ：ＵＥ  Ｃａｐａｂｉｌｉｔｙ  Ｕｐｄａｔｅ）」は、かかる「Ｄｅｔａｃｈ  Ｒｅｑｕｅｓｔ」が、「ＵＥ  Ｃａｐａｂｉｌｉｔｙ（ＦＧＩビットセットを含む）」の内容の変更に起因するものであることを示す。
【００３６】
受信部１３は、無線基地局ｅＮＢ＃１/ｅＮＢ＃２や移動管理ノードＭＭＥから各種信号を受信するように構成されている。
【００３７】
例えば、受信部１３は、移動管理ノードＭＭＥから、「Ａｔｔａｃｈ  Ａｃｃｅｐｔ」や「Ｄｅｔａｃｈ  Ａｃｃｅｐｔ」や「ＴＡＵ  Ａｃｃｅｐｔ」等を受信するように構成されている。
【００３８】
また、受信部１３は、無線基地局ｅＮＢ＃１/＃２から、「ＵＥ  Ｃａｐａｂｉｌｉｔｙ  Ｒｅｑｕｅｓｔ」等を送信するように構成されている。
【００３９】
ここで、受信部１３が、「Ｄｅｔａｃｈ  Ａｃｃｅｐｔ（Ｔｙｐｅ/Ｃａｕｓｅ：Ｒｅ-ａｔｔａｃｈ  ｒｅｑｕｉｒｅｄ）」を受信した場合には、送信部１２は、自律的に、移動管理ノードＭＭＥに対して、「Ａｔｔａｃｈ  Ｒｅｑｕｅｓｔ」を送信するように構成されている。
【００４０】
なお、「Ｄｅｔａｃｈ  Ａｃｃｅｐｔ（Ｔｙｐｅ/Ｃａｕｓｅ：Ｒｅ-ａｔｔａｃｈ  ｒｅｑｕｉｒｅｄ）」は、移動局ＵＥに対して自律的にアタッチ処理を行うことを促すものである。
【００４１】
図４に示すように、移動管理ノードＭＭＥは、管理部２１と、受信部２２と、送信部２３とを具備している。
【００４２】
管理部２１は、各移動局ＵＥの能力情報を示す「ＵＥ  Ｃａｐａｂｉｌｉｔｙ（ＦＧＩビットセットを含む）」を管理するように構成されている。
【００４３】
受信部２２は、無線基地局ｅＮＢ＃１/ｅＮＢ＃２や移動局ＵＥから各種信号を受信するように構成されている。
【００４４】
例えば、受信部２２は、移動局ＵＥから、「Ａｔｔａｃｈ  Ｒｅｑｕｅｓｔ」や「Ｄｅｔａｃｈ  Ｒｅｑｕｅｓｔ」や「ＴＡＵ」等を受信するように構成されている。
【００４５】
また、受信部２２は、無線基地局ｅＮＢ＃１/ｅＮＢ＃２から、「ＵＥ  Ｃａｐａｂｉｌｉｔｙ  Ｉｎｆｏ  Ｉｎｄｉｃａｔｉｏｎ」等を受信するように構成されている。
【００４６】
送信部２３は、無線基地局ｅＮＢ＃１/ｅＮＢ＃２や移動局ＵＥに対して各種信号を送信するように構成されている。
【００４７】
例えば、送信部２３は、移動局ＵＥに対して、「Ａｔｔａｃｈ  Ａｃｃｅｐｔ」や「Ｄｅｔａｃｈ  Ａｃｃｅｐｔ」や「ＴＡＵ  Ａｃｃｅｐｔ」等を送信するように構成されている。
【００４８】
また、送信部２３は、無線基地局ｅＮＢ＃１/ｅＮＢ＃２に対して、「ＵＥ  Ｉｎｉｔｉａｌ  Ｃｏｎｔｅｘｔ  Ｓｅｔｕｐ  Ｒｅｑｕｅｓｔ」を送信するように構成されている。
【００４９】
以下、図５及び図６を参照して、本実施形態に係る移動通信システムの動作について説明する。
【００５０】
第１に、図５を参照して、本実施形態に係る移動通信システムにおいて、ＦＤＤ方式の無線基地局ｅＮＢ＃１配下のセルにおいて待ち受け状態（ＩＤＬＥ）にある移動局ＵＥが、ＴＤＤ方式の無線基地局ｅＮＢ＃２配下のセルへのセル再選択処理を行った場合の動作について説明する。
【００５１】
図５に示すように、ステップＳ１０００において、移動管理ノードＭＭＥは、ＦＤＤ方式用の移動局ＵＥの能力情報である「ＦＤＤ  ＵＥ  Ｃａｐａｂｉｌｉｔｙ（ＦＧＩビットセットを含む）」を管理しているものとする。
【００５２】
移動局ＵＥは、ステップＳ１００１において、ＦＤＤ方式のセルからＴＤＤ方式のセルへの再選択処理を行ったと判定すると、ステップＳ１００２において、自律的にデタッチ処理を行うことを決定し、ステップＳ１００３において、移動管理ノードＭＭＥに対して、「Ｄｅｔａｃｈ  Ｒｅｑｕｅｓｔ（Ｔｙｐｅ/Ｃａｕｓｅ：ＵＥ  Ｃａｐａｂｉｌｉｔｙ  Ｕｐｄａｔｅ）」を送信する。
【００５３】
ステップＳ１００４において、移動管理ノードＭＭＥは、「Ｄｅｔａｃｈ  Ｒｅｑｕｅｓｔ（Ｔｙｐｅ/Ｃａｕｓｅ：ＵＥ  Ｃａｐａｂｉｌｉｔｙ  Ｕｐｄａｔｅ）」に応じて、移動局ＵＥに対して、「Ｄｅｔａｃｈ  Ａｃｃｅｐｔ（Ｔｙｐｅ/Ｃａｕｓｅ：Ｒｅ-ａｔｔａｃｈ  ｒｅｑｕｉｒｅｄ）」を送信する。
【００５４】
移動局ＵＥは、ステップＳ１００５において、「Ｄｅｔａｃｈ  Ａｃｃｅｐｔ（Ｔｙｐｅ/Ｃａｕｓｅ：Ｒｅ-ａｔｔａｃｈ  ｒｅｑｕｉｒｅｄ）」に応じて、自律的にアタッチ処理を行うことを決定し、ステップＳ１００６において、移動管理ノードＭＭＥに対して、「Ａｔｔａｃｈ  Ｒｅｑｕｅｓｔ（Ｔｙｐｅ/Ｃａｕｓｅ：ＵＥ  Ｃａｐａｂｉｌｉｔｙ  Ｕｐｄａｔｅ）」を送信する。
【００５５】
移動管理ノードＭＭＥは、ステップＳ１００７において、「Ａｔｔａｃｈ  Ｒｅｑｕｅｓｔ（Ｔｙｐｅ/Ｃａｕｓｅ：ＵＥ  Ｃａｐａｂｉｌｉｔｙ  Ｕｐｄａｔｅ）」に応じて、移動局ＵＥの「ＦＤＤ  ＵＥ  Ｃａｐａｂｉｌｉｔｙ」を削除し、ステップＳ１００８において、無線基地局ｅＮＢ＃２に対して、「Ａｔｔａｃｈ  Ａｃｃｅｐｔ」を含む「ＵＥ  Ｉｎｉｔｉａｌ  Ｃｏｎｔｅｘｔ  Ｓｅｔｕｐ  Ｒｅｑｕｅｓｔ」を送信する。
【００５６】
ここで、「ＵＥ  Ｉｎｉｔｉａｌ  Ｃｏｎｔｅｘｔ  Ｓｅｔｕｐ  Ｒｅｑｕｅｓｔ」は、移動管理ノードＭＭＥにおいて「ＦＤＤ ＵＥ Ｃａｐａｂｌｉｔｙ」が削除されたため、移動局ＵＥの「ＵＥ  Ｒａｄｉｏ  Ｃａｐａｂｉｌｉｔｙ」を通知しない。
【００５７】
なお、「ＵＥ  Ｒａｄｉｏ  Ｃａｐａｂｉｌｉｔｙ」は、前回のＡｔｔａｃｈ手順において移動局ＵＥから移動管理ノードＭＭＥに対して通知され、移動管理ノードＭＭＥにおいて保持されている「ＵＥ  Ｃａｐａｂｉｌｉｔｙ（ＦＧＩビットセットを含む）情報」である。
【００５８】
無線基地局ｅＮＢ＃２は、ステップＳ１００９において、かかる「ＵＥ  Ｉｎｉｔｉａｌ  Ｃｏｎｔｅｘｔ  Ｓｅｔｕｐ  Ｒｅｑｕｅｓｔ」に応じて、移動局ＵＥから、ＴＤＤ方式用の移動局ＵＥの能力情報である「ＴＤＤ  ＵＥ  Ｃａｐａｂｉｌｉｔｙ（ＦＧＩビットセットを含む）」を取得し、ステップＳ１０１０において、移動管理ノードＭＭＥに対して、かかる「ＴＤＤ  ＵＥ  Ｃａｐａｂｉｌｉｔｙ（ＦＧＩビットセットを含む）」を含む「ＵＥ  Ｃａｐａｂｉｌｉｔｙ  Ｉｎｆｏ  Ｉｎｄｉｃａｔｉｏｎ」を送信する。
【００５９】
ステップＳ１０１１において、移動管理ノードＭＭＥは、受信した「ＴＤＤ  ＵＥ  Ｃａｐａｂｉｌｉｔｙ（ＦＧＩビットセットを含む）」に基づいて、移動局ＵＥの「ＵＥ  Ｃａｐａｂｉｌｉｔｙ（ＦＧＩビットセットを含む）」を更新する。
【００６０】
第２に、図６を参照して、本実施形態に係る移動通信システムにおいて、ＴＤＤ方式の無線基地局ｅＮＢ＃２配下のセルにおいて待ち受け状態（ＩＤＬＥ）にある移動局ＵＥが、ＦＤＤ方式の無線基地局ｅＮＢ＃１配下のセルへのセル再選択処理を行った場合の動作について説明する。
【００６１】
図６に示すように、ステップＳ２０００において、移動管理ノードＭＭＥは、ＴＤＤ方式用の移動局ＵＥの能力情報である「ＴＤＤ  ＵＥ  Ｃａｐａｂｉｌｉｔｙ（ＦＧＩビットセットを含む）」を管理しているものとする。
【００６２】
移動局ＵＥは、ステップＳ２００１において、ＴＤＤ方式のセルからＦＤＤ方式のセルへの再選択処理を行ったと判定すると、ステップＳ２００２において、自律的にデタッチ処理を行うことを決定し、ステップＳ２００３において、移動管理ノードＭＭＥに対して、「Ｄｅｔａｃｈ  Ｒｅｑｕｅｓｔ（Ｔｙｐｅ/Ｃａｕｓｅ：ＵＥ  Ｃａｐａｂｉｌｉｔｙ  Ｕｐｄａｔｅ）」を送信する。
【００６３】
ステップＳ２００４において、移動管理ノードＭＭＥは、「Ｄｅｔａｃｈ  Ｒｅｑｕｅｓｔ（Ｔｙｐｅ/Ｃａｕｓｅ：ＵＥ  Ｃａｐａｂｉｌｉｔｙ  Ｕｐｄａｔｅ）」に応じて、移動局ＵＥに対して、「Ｄｅｔａｃｈ  Ａｃｃｅｐｔ（Ｔｙｐｅ/Ｃａｕｓｅ：Ｒｅ-ａｔｔａｃｈ  ｒｅｑｕｉｒｅｄ）」を送信する。
【００６４】
移動局ＵＥは、ステップＳ２００５において、「Ｄｅｔａｃｈ  Ａｃｃｅｐｔ（Ｔｙｐｅ/Ｃａｕｓｅ：Ｒｅ-ａｔｔａｃｈ  ｒｅｑｕｉｒｅｄ）」に応じて、自律的にアタッチ処理を行うことを決定し、ステップＳ２００６において、移動管理ノードＭＭＥに対して、「Ａｔｔａｃｈ  Ｒｅｑｕｅｓｔ（Ｔｙｐｅ/Ｃａｕｓｅ：ＵＥ  Ｃａｐａｂｉｌｉｔｙ  Ｕｐｄａｔｅ）」を送信する。
【００６５】
移動管理ノードＭＭＥは、ステップＳ２００７において、「Ａｔｔａｃｈ  Ｒｅｑｕｅｓｔ（Ｔｙｐｅ/Ｃａｕｓｅ：ＵＥ  Ｃａｐａｂｉｌｉｔｙ  Ｕｐｄａｔｅ）」に応じて、移動局ＵＥの「ＴＤＤ  ＵＥ  Ｃａｐａｂｉｌｉｔｙ」を削除し、ステップＳ３００８において、無線基地局ｅＮＢ＃２に対して、「Ａｔｔａｃｈ  Ａｃｃｅｐｔ」を含む「ＵＥ  Ｉｎｉｔｉａｌ  Ｃｏｎｔｅｘｔ  Ｓｅｔｕｐ  Ｒｅｑｕｅｓｔ」を送信する。
【００６６】
ここで、「ＵＥ  Ｉｎｉｔｉａｌ  Ｃｏｎｔｅｘｔ  Ｓｅｔｕｐ  Ｒｅｑｕｅｓｔ」は、移動局ＵＥの「ＵＥ  Ｒａｄｉｏ  Ｃａｐａｂｉｌｉｔｙ」を通知しない。
【００６７】
無線基地局ｅＮＢ＃２は、ステップＳ３００９において、かかる「ＵＥ  Ｉｎｉｔｉａｌ  Ｃｏｎｔｅｘｔ  Ｓｅｔｕｐ  Ｒｅｑｕｅｓｔ」に応じて、移動局ＵＥから、ＦＤＤ方式用の移動局ＵＥの能力情報である「ＦＤＤ  ＵＥ  Ｃａｐａｂｉｌｉｔｙ（ＦＧＩビットセットを含む）」を取得し、ステップＳ２０１０において、移動管理ノードＭＭＥに対して、かかる「ＦＤＤ  ＵＥ  Ｃａｐａｂｉｌｉｔｙ（ＦＧＩビットセットを含む）」を含む「ＵＥ  Ｃａｐａｂｉｌｉｔｙ  Ｉｎｆｏ  Ｉｎｄｉｃａｔｉｏｎ」を送信する。
【００６８】
ステップＳ２０１１において、移動管理ノードＭＭＥは、受信した「ＦＤＤ  ＵＥ  Ｃａｐａｂｉｌｉｔｙ（ＦＧＩビットセットを含む）」に基づいて、移動局ＵＥの「ＵＥ  Ｃａｐａｂｉｌｉｔｙ（ＦＧＩビットセットを含む）」を更新する。
【００６９】
本実施形態に係る移動通信システムによれば、ＦＤＤ方式（又は、ＴＤＤ方式）の無線基地局ｅＮＢ＃１（又は、ｅＮＢ＃２）配下のセルにおいて待ち受け状態にある移動局ＵＥが、ＴＤＤ方式（又は、ＦＤＤ方式）の無線基地局ｅＮＢ＃２（又は、ｅＮＢ＃１）配下のセルへのセル再選択処理を行った場合、移動管理ノードＭＭＥに対して、「Ｄｅｔａｃｈ  Ｒｅｑｕｅｓｔ（Ｔｙｐｅ/Ｃａｕｓｅ：ＵＥ  Ｃａｐａｂｉｌｉｔｙ  Ｕｐｄａｔｅ）」を送信し、移動管理ノードＭＭＥが、移動局ＵＥに対して、「Ｄｅｔａｃｈ  Ａｃｃｅｐｔ（Ｔｙｐｅ/Ｃａｕｓｅ：Ｒｅ-ａｔｔａｃｈ  ｒｅｑｕｉｒｅｄ）」を送信するように構成されている。
【００７０】
したがって、本実施形態に係る移動通信システムによれば、ＦＤＤ方式（又は、ＴＤＤ方式）の無線基地局ｅＮＢ＃１（又は、ｅＮＢ＃２）配下のセルにおいて待ち受け状態にある移動局ＵＥが、ＴＤＤ方式（又は、ＦＤＤ方式）の無線基地局ｅＮＢ＃２（又は、ｅＮＢ＃１）配下のセルへのセル再選択処理を行った場合、自律的に、デタッチ処理を行った後、再アタッチ処理を行うことによって、適切に、移動管理ノードＭＭＥにおける移動局ＵＥの「ＵＥ  Ｃａｐａｂｉｌｉｔｙ」を更新することができる。
【００７１】
（変更例１）
図７及び図８を参照して、本発明に係る変更例１に係る移動通信システムについて説明する。以下、本変更例１に係る移動通信システムについて、上述の第１の実施形態に係る変更例１に係る移動通信システムとの相違点に着目して説明する。
【００７２】
第１に、図７を参照して、本変更例１に係る移動通信システムにおいて、ＦＤＤ方式の無線基地局ｅＮＢ＃１配下のセルにおいて待ち受け状態（ＩＤＬＥ）にある移動局ＵＥが、ＴＤＤ方式の無線基地局ｅＮＢ＃２配下のセルへのセル再選択処理を行った場合の動作について説明する。
【００７３】
図７に示すように、ステップＳ３０００において、移動管理ノードＭＭＥは、ＦＤＤ方式用の移動局ＵＥの能力情報である「ＦＤＤ  ＵＥ  Ｃａｐａｂｉｌｉｔｙ（ＦＧＩビットセットを含む）」を管理しているものとする。
【００７４】
移動局ＵＥは、ステップＳ３００１において、ＦＤＤ方式のセルからＴＤＤ方式のセルへの再選択処理を行ったと判定すると、ステップＳ３００２において、自律的に位置登録更新処理（ＴＡＵ）を行うことを決定し、ステップＳ３００３において、移動管理ノードＭＭＥに対して、「ＴＡＵ  Ｒｅｑｕｅｓｔ（ＵＥ  Ｃａｐａｂｉｌｉｔｙ  Ｕｐｄａｔｅ  Ｎｅｅｄｅｄ＝＝Ｔｒｕｅ）」を送信する。
【００７５】
移動管理ノードＭＭＥは、ステップＳ３００４において、「ＴＡＵ  Ｒｅｑｕｅｓｔ（ＵＥ  Ｃａｐａｂｉｌｉｔｙ  Ｕｐｄａｔｅ  Ｎｅｅｄｅｄ＝＝Ｔｒｕｅ）」に応じて、移動局ＵＥの「ＦＤＤ  ＵＥ  Ｃａｐａｂｉｌｉｔｙ（ＦＧＩビットセットを含む）」を削除し、ステップＳ３００５において、移動局ＵＥに対して、「ＴＡＵ  Ａｃｃｅｐｔ」を送信する。
【００７６】
移動局ＵＥは、ステップＳ３００６において、無線基地局ｅＮＢ＃２配下のセルにおいて接続状態（ＡＣＴＩＶＥ）に遷移し、ステップＳ３００７において、移動管理ノードＭＭＥに対して、「Ｓｅｒｖｉｃｅ  Ｒｅｑｕｅｓｔ」を送信する。
【００７７】
ステップＳ３００８において、移動管理ノードＭＭＥは、「Ｓｅｒｖｉｃｅ  Ｒｅｑｕｅｓｔ」に応じて、無線基地局ｅＮＢ＃２に対して、「Ａｔｔａｃｈ  Ａｃｃｅｐｔ」を含む「ＵＥ  Ｉｎｉｔｉａｌ  Ｃｏｎｔｅｘｔ  Ｓｅｔｕｐ  Ｒｅｑｕｅｓｔ」を送信する。
【００７８】
ここで、「ＵＥ  Ｉｎｉｔｉａｌ  Ｃｏｎｔｅｘｔ  Ｓｅｔｕｐ  Ｒｅｑｕｅｓｔ」は、移動局ＵＥの「ＵＥ  Ｒａｄｉｏ  Ｃａｐａｂｉｌｉｔｙ」を通知しない。
【００７９】
無線基地局ｅＮＢ＃２は、ステップＳ３００９において、かかる「ＵＥ  Ｉｎｉｔｉａｌ  Ｃｏｎｔｅｘｔ  Ｓｅｔｕｐ  Ｒｅｑｕｅｓｔ」に応じて、移動局ＵＥから、「ＴＤＤ  ＵＥ  Ｃａｐａｂｉｌｉｔｙ（ＦＧＩビットセットを含む）」を取得し、ステップＳ３０１０において、移動管理ノードＭＭＥに対して、かかる「ＴＤＤ  ＵＥ  Ｃａｐａｂｉｌｉｔｙ（ＦＧＩビットセットを含む）」を含む「ＵＥ  Ｃａｐａｂｉｌｉｔｙ  Ｉｎｆｏ  Ｉｎｄｉｃａｔｉｏｎ」を送信する。
【００８０】
ステップＳ３０１１において、移動管理ノードＭＭＥは、受信した「ＴＤＤ  ＵＥ  Ｃａｐａｂｉｌｉｔｙ（ＦＧＩビットセットを含む）」に基づいて、移動局ＵＥの「ＵＥ  Ｃａｐａｂｉｌｉｔｙ（ＦＧＩビットセットを含む）」を更新する。
【００８１】
この後、移動局ＵＥは、無線基地局ｅＮＢ＃２配下のセルにおいて待ち受け状態（ＩＤＬＥ）に遷移してもよい。
【００８２】
第２に、図８を参照して、本変更例１に係る移動通信システムにおいて、ＴＤＤ方式の無線基地局ｅＮＢ＃２配下のセルにおいて待ち受け状態（ＩＤＬＥ）にある移動局ＵＥが、ＦＤＤ方式の無線基地局ｅＮＢ＃１配下のセルへのセル再選択処理を行った場合の動作について説明する。
【００８３】
図８に示すように、ステップＳ４０００において、移動管理ノードＭＭＥは、ＴＤＤ方式用の移動局ＵＥの能力情報である「ＴＤＤ  ＵＥ  Ｃａｐａｂｉｌｉｔｙ（ＦＧＩビットセットを含む）」を管理しているものとする。
【００８４】
移動局ＵＥは、ステップＳ４００１において、ＴＤＤ方式のセルからＦＤＤ方式のセルへの再選択処理を行ったと判定すると、ステップＳ４００２において、自律的に位置登録更新処理（ＴＡＵ）を行うことを決定し、ステップＳ４００３において、移動管理ノードＭＭＥに対して、「ＴＡＵ  Ｒｅｑｕｅｓｔ（ＵＥ  Ｃａｐａｂｉｌｉｔｙ  Ｕｐｄａｔｅ  Ｎｅｅｄｅｄ＝＝Ｔｒｕｅ）」を送信する。
【００８５】
移動管理ノードＭＭＥは、ステップＳ４００４において、「ＴＡＵ  Ｒｅｑｕｅｓｔ（ＵＥ  Ｃａｐａｂｉｌｉｔｙ  Ｕｐｄａｔｅ  Ｎｅｅｄｅｄ＝＝Ｔｒｕｅ）」に応じて、移動局ＵＥの「ＴＤＤ  ＵＥ  Ｃａｐａｂｉｌｉｔｙ（ＦＧＩビットセットを含む）」を削除し、ステップＳ４００５において、移動局ＵＥに対して、「ＴＡＵ  Ａｃｃｅｐｔ」を送信する。
【００８６】
移動局ＵＥは、ステップＳ４００６において、無線基地局ｅＮＢ＃１配下のセルにおいて接続状態（ＡＣＴＩＶＥ）に遷移し、ステップＳ４００７において、移動管理ノードＭＭＥに対して、「Ｓｅｒｖｉｃｅ  Ｒｅｑｕｅｓｔ」を送信する。
【００８７】
ステップＳ４００８において、移動管理ノードＭＭＥは、「Ｓｅｒｖｉｃｅ  Ｒｅｑｕｅｓｔ」に応じて、無線基地局ｅＮＢ＃１に対して、「Ａｔｔａｃｈ  Ａｃｃｅｐｔ」を含む「ＵＥ  Ｉｎｉｔｉａｌ  Ｃｏｎｔｅｘｔ  Ｓｅｔｕｐ  Ｒｅｑｕｅｓｔ」を送信する。
【００８８】
ここで、「ＵＥ  Ｉｎｉｔｉａｌ  Ｃｏｎｔｅｘｔ  Ｓｅｔｕｐ  Ｒｅｑｕｅｓｔ」は、移動局ＵＥの「ＵＥ  Ｒａｄｉｏ  Ｃａｐａｂｉｌｉｔｙ」を通知しない。
【００８９】
無線基地局ｅＮＢ＃１は、ステップＳ４００９において、かかる「ＵＥ  Ｉｎｉｔｉａｌ  Ｃｏｎｔｅｘｔ  Ｓｅｔｕｐ  Ｒｅｑｕｅｓｔ」に応じて、移動局ＵＥから、「ＦＤＤ  ＵＥ  Ｃａｐａｂｉｌｉｔｙ（ＦＧＩビットセットを含む）」を取得し、ステップＳ４０１０において、移動管理ノードＭＭＥに対して、かかる「ＦＤＤ  ＵＥ  Ｃａｐａｂｉｌｉｔｙ（ＦＧＩビットセットを含む）」を含む「ＵＥ  Ｃａｐａｂｉｌｉｔｙ  Ｉｎｆｏ  Ｉｎｄｉｃａｔｉｏｎ」を送信する。
【００９０】
ステップＳ４０１１において、移動管理ノードＭＭＥは、受信した「ＦＤＤ  ＵＥ  Ｃａｐａｂｉｌｉｔｙ（ＦＧＩビットセットを含む）」に基づいて、移動局ＵＥの「ＵＥ  Ｃａｐａｂｉｌｉｔｙ（ＦＧＩビットセットを含む）」を更新する。
【００９１】
この後、移動局ＵＥは、無線基地局ｅＮＢ＃２配下のセルにおいて待ち受け状態（ＩＤＬＥ）に遷移してもよい。
【００９２】
本実施形態に係る移動通信システムによれば、ＦＤＤ方式（又は、ＴＤＤ方式）の無線基地局ｅＮＢ＃１（又は、ｅＮＢ＃２）配下のセルにおいて待ち受け状態にある移動局ＵＥが、ＴＤＤ方式（又は、ＦＤＤ方式）の無線基地局ｅＮＢ＃２（又は、ｅＮＢ＃１）配下のセルへのセル再選択処理を行った場合、移動管理ノードＭＭＥに対して、「ＴＡＵ  Ｒｅｑｕｅｓｔ（ＵＥ  Ｃａｐａｂｉｌｉｔｙ  Ｕｐｄａｔｅ  Ｎｅｅｄｅｄ＝＝Ｔｒｕｅ）」を送信し、移動管理ノードＭＭＥが、移動局ＵＥの「ＴＤＤ（又は、ＦＤＤ）  ＵＥ  Ｃａｐａｂｉｌｉｔｙ（ＦＧＩビットセットを含む）」を削除し、移動局ＵＥに対して、「ＴＡＵ  Ａｃｃｅｐｔ」を送信するように構成されている。
【００９３】
したがって、本実施形態に係る移動通信システムによれば、ＦＤＤ方式（又は、ＴＤＤ方式）の無線基地局ｅＮＢ＃１（又は、ｅＮＢ＃２）配下のセルにおいて待ち受け状態にある移動局ＵＥが、ＴＤＤ方式（又は、ＦＤＤ方式）の無線基地局ｅＮＢ＃２（又は、ｅＮＢ＃１）配下のセルへのセル再選択処理を行った場合、適切に、移動管理ノードＭＭＥにおける移動局ＵＥの「ＵＥ  Ｃａｐａｂｉｌｉｔｙ」を更新することができる。
【００９４】
以上に述べた本実施形態の特徴は、以下のように表現されていてもよい。
【００９５】
本実施形態の第１の特徴は、移動通信方法であって、ＦＤＤ方式の無線基地局ｅＮＢ＃１配下のセルにおいて待ち受け状態にある移動局ＵＥが、ＴＤＤ方式の無線基地局ｅＮＢ＃２配下のセルへのセル再選択処理を行った場合、移動管理ノードＭＭＥに対して、「Ｄｅｔａｃｈ  Ｒｅｑｕｅｓｔ（Ｔｙｐｅ/Ｃａｕｓｅ：ＵＥ  Ｃａｐａｂｉｌｉｔｙ  Ｕｐｄａｔｅ）（移動局ＵＥの能力情報を更新する旨を示すデタッチ要求信号）」を送信する工程と、移動管理ノードＭＭＥが、「Ｄｅｔａｃｈ  Ｒｅｑｕｅｓｔ（Ｔｙｐｅ/Ｃａｕｓｅ：ＵＥ  Ｃａｐａｂｉｌｉｔｙ  Ｕｐｄａｔｅ）」に応じて、移動局ＵＥに対して、「Ｄｅｔａｃｈ  Ａｃｃｅｐｔ（Ｔｙｐｅ/Ｃａｕｓｅ：Ｒｅ-ａｔｔａｃｈ  ｒｅｑｕｉｒｅｄ）（再アタッチ処理を促すデタッチ受付信号）」を送信する工程と、移動局ＵＥが、「Ｄｅｔａｃｈ  Ａｃｃｅｐｔ（Ｔｙｐｅ/Ｃａｕｓｅ：Ｒｅ-ａｔｔａｃｈ  ｒｅｑｕｉｒｅｄ）」に応じて、移動管理ノードＭＭＥに対して、「Ａｔｔａｃｈ  Ｒｅｑｕｅｓｔ（Ｔｙｐｅ/Ｃａｕｓｅ：Ｒｅ-ａｔｔａｃｈ  ｒｅｑｕｉｒｅｄ）（アタッチ要求信号）」を送信する工程と、移動管理ノードＭＭＥが、移動局ＵＥの「ＦＤＤ  ＵＥ  Ｃａｐａｂｉｌｉｔｙ（ＦＤＤ方式用の移動局ＵＥの能力情報）」を削除し、ＴＤＤ方式の無線基地局ｅＮＢ＃２に対して、「ＵＥ  Ｒａｄｉｏ  Ｃａｐａｂｉｌｉｔｙ（移動局ＵＥの能力情報）」を通知しない「ＵＥ  Ｉｎｉｔｉａｌ  Ｃｏｎｔｅｘｔ  Ｓｅｔｕｐ  Ｒｅｑｕｅｓｔ（初期コンテキスト設定要求信号）」を送信する工程と、ＴＤＤ方式の無線基地局ｅＮＢ＃２が、かかる「ＵＥ  Ｉｎｉｔｉａｌ  Ｃｏｎｔｅｘｔ  Ｓｅｔｕｐ  Ｒｅｑｕｅｓｔ」に応じて、移動局ＵＥから、ＴＤＤ方式用のＦＧＩビットセット（移動局ＵＥによってサポートされている必須機能について示すＴＤＤ方式用の機能グループ指示情報）を含む「ＴＤＤ  ＵＥ  Ｃａｐａｂｉｌｉｔｙ（ＴＤＤ方式用の移動局ＵＥの能力情報）」を取得する工程と、ＴＤＤ方式の無線基地局ｅＮＢ＃２が、移動管理ノードＭＭＥに対して、取得した「ＴＤＤ  ＵＥ  Ｃａｐａｂｉｌｉｔｙ」を通知する工程とを有することを要旨とする。
【００９６】
本実施形態の第２の特徴は、移動通信方法であって、ＴＤＤ方式の無線基地局ｅＮＢ＃２配下のセルにおいて待ち受け状態にある移動局ＵＥが、ＦＤＤ方式の無線基地局ｅＮＢ＃１配下のセルへのセル再選択処理を行った場合、移動管理ノードＭＭＥに対して、「Ｄｅｔａｃｈ  Ｒｅｑｕｅｓｔ（Ｔｙｐｅ/Ｃａｕｓｅ：ＵＥ  Ｃａｐａｂｉｌｉｔｙ  Ｕｐｄａｔｅ）」を送信する工程と、移動管理ノードＭＭＥが、「Ｄｅｔａｃｈ  Ｒｅｑｕｅｓｔ（Ｔｙｐｅ/Ｃａｕｓｅ：ＵＥ  Ｃａｐａｂｉｌｉｔｙ  Ｕｐｄａｔｅ）」に応じて、移動局ＵＥに対して、「Ｄｅｔａｃｈ  Ａｃｃｅｐｔ（Ｔｙｐｅ/Ｃａｕｓｅ：Ｒｅ-ａｔｔａｃｈ  ｒｅｑｕｉｒｅｄ）」を送信する工程と、移動局ＵＥが、「Ｄｅｔａｃｈ  Ａｃｃｅｐｔ（Ｔｙｐｅ/Ｃａｕｓｅ：Ｒｅ-ａｔｔａｃｈ  ｒｅｑｕｉｒｅｄ）」に応じて、移動管理ノードＭＭＥに対して、「Ａｔｔａｃｈ  Ｒｅｑｕｅｓｔ（Ｔｙｐｅ/Ｃａｕｓｅ：Ｒｅ-ａｔｔａｃｈ  ｒｅｑｕｉｒｅｄ）」を送信する工程と、移動管理ノードＭＭＥが、移動局ＵＥの「ＴＤＤ  ＵＥ  Ｃａｐａｂｉｌｉｔｙ（ＴＤＤ方式用の移動局ＵＥの能力情報）」を削除し、ＦＤＤ方式の無線基地局ｅＮＢ＃１に対して、「ＵＥ  Ｒａｄｉｏ  Ｃａｐａｂｉｌｉｔｙ」を通知しない「ＵＥ  Ｉｎｉｔｉａｌ  Ｃｏｎｔｅｘｔ  Ｓｅｔｕｐ  Ｒｅｑｕｅｓｔ」を送信する工程と、ＦＤＤ方式の無線基地局ｅＮＢ＃１が、かかる「ＵＥ  Ｉｎｉｔｉａｌ  Ｃｏｎｔｅｘｔ  Ｓｅｔｕｐ  Ｒｅｑｕｅｓｔ」に応じて、移動局ＵＥから、ＦＤＤ方式用のＦＧＩビットセットを含む「ＦＤＤ  ＵＥ  Ｃａｐａｂｉｌｉｔｙ（ＦＤＤ方式用の移動局ＵＥの能力情報）」を取得する工程と、ＦＤＤ方式の無線基地局ｅＮＢ＃１が、移動管理ノードＭＭＥに対して、取得した「ＦＤＤ  ＵＥ  Ｃａｐａｂｉｌｉｔｙ」を通知する工程とを有することを要旨とする。
【００９７】
本実施形態の第３の特徴は、移動通信方法であって、ＦＤＤ方式の無線基地局ｅＮＢ＃１配下のセルにおいて待ち受け状態にある移動局ＵＥが、ＴＤＤ方式の無線基地局ｅＮＢ＃２配下のセルへのセル再選択処理を行った場合、移動管理ノードＭＭＥに対して、「ＴＡＵ  Ｒｅｑｕｅｓｔ（ＵＥ  Ｃａｐａｂｉｌｉｔｙ  Ｕｐｄａｔｅ  Ｎｅｅｄｅｄ＝＝Ｔｒｕｅ）（移動局ＵＥの能力情報を更新する旨を示す位置登録エリア更新要求信号）」を送信する工程と、移動管理ノードＭＭＥが、「ＴＡＵ  Ｒｅｑｕｅｓｔ（ＵＥ  Ｃａｐａｂｉｌｉｔｙ  Ｕｐｄａｔｅ  Ｎｅｅｄｅｄ＝＝Ｔｒｕｅ）」に応じて、移動局ＵＥの「ＦＤＤ  ＵＥ  Ｃａｐａｂｉｌｉｔｙ」を削除し、移動局ＵＥに対して、「ＴＡＵ  Ａｃｃｅｐｔ（位置登録エリア更新受付信号）」を送信する工程と、移動局ＵＥが、「ＴＡＵ  Ａｃｃｅｐｔ」に応じて、ＴＤＤ方式の無線基地局ｅＮＢ＃２配下のセルにおいて接続状態に遷移し、移動管理ノードＭＭＥに対して、「Ｓｅｒｖｉｃｅ  Ｒｅｑｕｅｓｔ（サービス要求信号）」を送信する工程と、移動管理ノードＭＭＥが、「Ｓｅｒｖｉｃｅ  Ｒｅｑｕｅｓｔ」に応じて、ＴＤＤ方式の無線基地局ｅＮＢ＃２に対して、「ＵＥ  Ｒａｄｉｏ  Ｃａｐａｂｉｌｉｔｙ」を通知しない「ＵＥ  Ｉｎｉｔｉａｌ  Ｃｏｎｔｅｘｔ  Ｓｅｔｕｐ  Ｒｅｑｕｅｓｔ」を送信する工程と、ＴＤＤ方式の無線基地局ｅＮＢ＃２が、かかる「ＵＥ  Ｉｎｉｔｉａｌ  Ｃｏｎｔｅｘｔ  Ｓｅｔｕｐ  Ｒｅｑｕｅｓｔ」に応じて、移動局ＵＥから、ＴＤＤ方式用のＦＧＩビットセットを含む「ＴＤＤ  ＵＥ  Ｃａｐａｂｉｌｉｔｙ」を取得する工程と、ＴＤＤ方式の無線基地局ｅＮＢ＃２が、移動管理ノードＭＭＥに対して、取得した「ＴＤＤ  ＵＥ  Ｃａｐａｂｉｌｉｔｙ」を通知する工程とを有することを要旨とする。
【００９８】
本実施形態の第４の特徴は、移動通信方法であって、ＴＤＤ方式の無線基地局ｅＮＢ＃２配下のセルにおいて待ち受け状態にある移動局ＵＥが、ＦＤＤ方式の無線基地局ｅＮＢ＃１配下のセルへのセル再選択処理を行った場合、移動管理ノードＭＭＥに対して、「ＴＡＵ  Ｒｅｑｕｅｓｔ（ＵＥ  Ｃａｐａｂｉｌｉｔｙ  Ｕｐｄａｔｅ  Ｎｅｅｄｅｄ＝＝Ｔｒｕｅ）」を送信する工程と、移動管理ノードＭＭＥが、「ＴＡＵ  Ｒｅｑｕｅｓｔ（ＵＥ  Ｃａｐａｂｉｌｉｔｙ  Ｕｐｄａｔｅ  Ｎｅｅｄｅｄ＝＝Ｔｒｕｅ）」に応じて、移動局ＵＥの「ＴＤＤ  ＵＥ  Ｃａｐａｂｉｌｉｔｙ」を削除し、移動局ＵＥに対して、「ＴＡＵ  Ａｃｃｅｐｔ」を送信する工程と、移動局ＵＥが、「ＴＡＵ  Ａｃｃｅｐｔ」に応じて、ＦＤＤ方式の無線基地局ｅＮＢ＃１配下のセルにおいて接続状態に遷移し、移動管理ノードＭＭＥに対して、「Ｓｅｒｖｉｃｅ  Ｒｅｑｕｅｓｔ」を送信する工程と、移動管理ノードＭＭＥが、「Ｓｅｒｖｉｃｅ  Ｒｅｑｕｅｓｔ」に応じて、ＦＤＤ方式の無線基地局ｅＮＢ＃１に対して、「ＵＥ  Ｒａｄｉｏ  Ｃａｐａｂｉｌｉｔｙ」を通知しない「ＵＥ  Ｉｎｉｔｉａｌ  Ｃｏｎｔｅｘｔ  Ｓｅｔｕｐ  Ｒｅｑｕｅｓｔ」を送信する工程と、ＦＤＤ方式の無線基地局ｅＮＢ＃１が、かかる「ＵＥ  Ｉｎｉｔｉａｌ  Ｃｏｎｔｅｘｔ  Ｓｅｔｕｐ  Ｒｅｑｕｅｓｔ」に応じて、移動局ＵＥから、ＦＤＤ方式用のＦＧＩビットセットを含む「ＦＤＤ  ＵＥ  Ｃａｐａｂｉｌｉｔｙ」を取得する工程と、ＦＤＤ方式の無線基地局ｅＮＢ＃１が、移動管理ノードＭＭＥに対して、取得した「ＦＤＤ  ＵＥ  Ｃａｐａｂｉｌｉｔｙ」を通知する工程とを有することを要旨とする。
【００９９】
なお、上述の移動管理ノードＭＭＥや無線基地局ｅＮＢ＃１/ｅＮＢ＃２や移動局ＵＥの動作は、ハードウェアによって実施されてもよいし、プロセッサによって実行されるソフトウェアモジュールによって実施されてもよいし、両者の組み合わせによって実施されてもよい。
【０１００】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動管理ノードＭＭＥや無線基地局ｅＮＢ＃１/ｅＮＢ＃２や移動局ＵＥ内に設けられていてもよい。また、かかる記憶媒体及びプロセッサは、ディスクリートコンポーネントとして移動管理ノードＭＭＥや無線基地局ｅＮＢ＃１/ｅＮＢ＃２や移動局ＵＥ内に設けられていてもよい。
【０１０２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０３】
ＭＭＥ…移動管理ノード
ＵＥ…移動局
ｅＮＢ…無線基地局
１１…判定部
１２、２３…送信部
１３、２２…受信部
２１…管理部
【図１】
2013102292.tif 000003
【図２】
2013102292.tif 000004
【図３】
2013102292.tif 000005
【図４】
2013102292.tif 000006
【図５】
2013102292.tif 000007
【図６】
2013102292.tif 000008
【図７】
2013102292.tif 000009
【図８】
2013102292.tif 000010